【手続補正書】
【提出日】平成16年5月24日(2004.5.24)
【手続補正１】
【補正対象書類名】明細書
【補正対象項目名】発明の名称
【補正方法】変更
【補正の内容】
【発明の名称】管理装置、管理方法および記憶媒体
【手続補正２】
【補正対象書類名】明細書
【補正対象項目名】特許請求の範囲
【補正方法】変更
【補正の内容】
【特許請求の範囲】
【請求項１】
画像情報とインデックス情報とをレコードに関連付け、複数のレコードを一覧表示したリストを用いて、画像を管理する管理装置であって、
前記画像情報を入力する画像入力手段と、
前記インデックス情報を入力するインデックス入力手段と、
前記リストを表示するように制御する表示制御手段と、
新たな画像情報に対するインデックス情報の入力の前に当該新たな画像情報を入力する第１の指示がなされたか、新たな画像情報の入力の前に当該新たな画像情報に対するインデックス情報を入力する第２の指示がなされたか、判断する判断手段と、
前記判断手段で前記第１の指示がなされたと判断した場合、前記画像入力手段により入力された新たな画像情報が関連付けられた新たなレコードを前記リスト中に作成するように制御し、前記判断手段で前記第２の指示がなされたと判断した場合、前記インデックス入力手段により入力されたインデックス情報が関連付けられた新たなレコードを前記リスト中に作成するように制御する制御手段と、
を有することを特徴とする管理装置。
【請求項２】
更に、前記インデックス情報を用いて所望の条件を満たすレコードがないか前記リストを検索する検索手段を有し、
前記表示制御手段は、前記検索手段で検索された前記所望の条件を満たすレコードで構成されるリストを表示するように制御することを特徴とする請求項１に記載の管理装置。
【請求項３】
前記表示制御手段により表示制御されるリストは、前記画像情報と前記インデックス情報の両方が関連付けられた状態のレコードと、前記第１の指示により前記画像情報だけが関連付けられた状態のレコードと、前記第２の指示により前記インデックス情報だけが関連付けられた状態のレコードとが識別可能に一覧表示されることを特徴とする請求項１に記載の管理装置。
【請求項４】
前記リストにおいて所望のレコードを選択する選択手段を更に有し、
前記判断手段は、前記選択手段により選択されたレコードに対して新たな画像情報を入力する第３の指示がなされたか判断し、
前記制御手段は、前記判断手段で前記第３の指示がなされたと判断した場合、前記選択手段により選択されたレコードに対して前記画像入力手段により入力された新たな画像情報を関連付けるように制御することを特徴とする請求項１に記載の管理装置。
【請求項５】
前記リストにおいて所望のレコードを選択する選択手段を更に有し、
前記判断手段は、前記選択手段により選択されたレコードに対してインデックス情報を入力する第４の指示がなされたか判断し、
前記制御手段は、前記判断手段で前記第４の指示がなされたと判断した場合、前記選択手段により選択されたレコードに対して前記インデックス入力手段により入力されたインデックス情報を関連付けるように制御することを特徴とする請求項１に記載の管理装置。
【請求項６】
前記リストにおいて所望のレコードを選択する選択手段と、
前記選択手段で選択されたレコードの画像情報に基づき画像を表示するように制御する画像表示手段と、
を更に有することを特徴とする請求項１に記載の管理装置。
【請求項７】
前記選択されたレコードに前記画像情報が関連付けられていない場合、前記画像表示手段は、警告表示を行なうことを特徴とする請求項６に記載の管理装置。
【請求項８】
前記選択手段は、選択されたレコードに前記画像情報が関連付けられていない場合、次のレコードを選択するように制御することを特徴とする請求項６に記載の管理装置。
【請求項９】
文書を画像として読み込む読込手段を更に有し、
前記画像入力手段で入力される画像情報は、前記読込手段で読み込まれた画像に関する情報であることを特徴とする請求項１に記載の管理装置。
【請求項１０】
前記レコードをデータベースに格納する格納手段を更に有することを特徴とする請求項１に記載の管理装置。
【請求項１１】
画像情報とインデックス情報とをレコードに関連付け、複数のレコードを一覧表示したリストを用いて、画像を管理する管理装置であって、
前記リストを表示するように制御する表示制御手段と、
前記表示されたリストに前記画像情報を入力する画像入力手段と、
前記表示されたリストに前記インデックス情報を入力するインデックス入力手段と、
前記表示されたリストにおいて、前記インデックス情報を用いて所望の条件を満たすレコードを検索する検索手段とを有し、
前記画像入力手段による画像情報の入力と前記インデックス入力手段によるインデックス情報の入力と前記検索手段による検索は、前記表示制御手段で表示されているリストにおいてユーザ所望の順序で実行可能であることを特徴とする管理装置。
【請求項１２】
画像情報とインデックス情報とをレコードに関連付け、複数のレコードを一覧表示したリストを用いて、画像を管理する管理方法であって、
前記画像情報を入力する画像入力工程と、
前記インデックス情報を入力するインデックス入力工程と、
前記リストを表示するように制御する表示制御工程と、
新たな画像情報に対するインデックス情報の入力の前に当該新たな画像情報を入力する第１の指示がなされたか、新たな画像情報の入力の前に当該新たな画像情報に対するインデックス情報を入力する第２の指示がなされたか、判断する判断工程と、
前記判断工程で前記第１の指示がなされたと判断した場合、前記画像入力工程で入力された新たな画像情報が関連付けられた新たなレコードを前記リスト中に作成するように制御し、前記判断工程で前記第２の指示がなされたと判断した場合、前記インデックス入力工程で入力されたインデックス情報が関連付けられた新たなレコードを前記リスト中に作成するように制御する制御工程と、
を有することを特徴とする管理方法。
【請求項１３】
更に、前記インデックス情報を用いて所望の条件を満たすレコードがないか前記リストを検索する検索工程を有し、
前記表示制御工程では、前記検索工程で検索された前記所望の条件を満たすレコードで構成されるリストを表示するように制御することを特徴とする請求項１２に記載の管理方法。
【請求項１４】
前記表示制御工程で表示制御されるリストは、前記画像情報と前記インデックス情報の両方が関連付けられた状態のレコードと、前記第１の指示により前記画像情報だけが関連付けられた状態のレコードと、前記第２の指示により前記インデックス情報だけが関連付けられた状態のレコードとが識別可能に一覧表示されることを特徴とする請求項１２に記載の管理方法。
【請求項１５】
前記リストにおいて所望のレコードを選択する選択工程を更に有し、
前記判断工程では、前記選択工程で選択されたレコードに対して新たな画像情報を入力する第３の指示がなされたか判断し、
前記制御工程では、前記判断工程で前記第３の指示がなされたと判断した場合、前記選択工程で選択されたレコードに対して前記画像入力工程で入力された新たな画像情報を関連付けるように制御することを特徴とする請求項１２に記載の管理方法。
【請求項１６】
前記リストにおいて所望のレコードを選択する選択工程を更に有し、
前記判断工程では、前記選択工程で選択されたレコードに対してインデックス情報を入力する第４の指示がなされたか判断し、
前記制御工程では、前記判断工程で前記第４の指示がなされたと判断した場合、前記選択工程で選択されたレコードに対して前記インデックス入力工程で入力されたインデックス情報を関連付けるように制御することを特徴とする請求項１２に記載の管理方法。
【請求項１７】
前記リストにおいて所望のレコードを選択する選択工程と、
前記選択工程で選択されたレコードの画像情報に基づき画像を表示するように制御する画像表示工程と、
を更に有することを特徴とする請求項１２に記載の管理方法。
【請求項１８】
前記選択されたレコードに前記画像情報が関連付けられていない場合、前記画像表示工程では、警告表示を行なうことを特徴とする請求項１７に記載の管理方法。
【請求項１９】
前記選択工程では、選択されたレコードに前記画像情報が関連付けられていない場合、次のレコードを選択するように制御することを特徴とする請求項１７に記載の管理方法。
【請求項２０】
文書を画像として読み込む読込工程を更に有し、
前記画像入力工程で入力される画像情報は、前記読込工程で読み込まれた画像に関する情報であることを特徴とする請求項１２に記載の管理方法。
【請求項２１】
前記レコードをデータベースに格納する格納工程を更に有することを特徴とする請求項１２に記載の管理方法。
【請求項２２】
画像情報とインデックス情報とをレコードに関連付け、複数のレコードを一覧表示したリストを用いて、画像を管理する管理方法であって、
前記リストを表示するように制御する表示制御工程と、
前記表示されたリストに前記画像情報を入力する画像入力工程と、
前記表示されたリストに前記インデックス情報を入力するインデックス入力工程と、
前記表示されたリストにおいて、前記インデックス情報を用いて所望の条件を満たすレコードを検索する検索工程とを有し、
前記画像入力工程による画像情報の入力と前記インデックス入力工程によるインデックス情報の入力と前記検索工程による検索は、前記表示制御工程で表示されているリストにおいてユーザ所望の順序で実行可能であることを特徴とする管理方法。
【請求項２３】
画像情報とインデックス情報とをレコードに関連付け、複数のレコードを一覧表示したリストを用いて、画像を管理するように装置を制御するための、コンピュータ読取可能なプログラムを格納した記憶媒体であって、
前記画像情報を入力する画像入力工程と、
前記インデックス情報を入力するインデックス入力工程と、
前記リストを表示するように制御する表示制御工程と、
新たな画像情報に対するインデックス情報の入力の前に当該新たな画像情報を入力する第１の指示がなされたか、新たな画像情報の入力の前に当該新たな画像情報に対するインデックス情報を入力する第２の指示がなされたか、判断する判断工程と、
前記判断工程で前記第１の指示がなされたと判断した場合、前記画像入力工程で入力された新たな画像情報が関連付けられた新たなレコードを前記リスト中に作成するように制御し、前記判断工程で前記第２の指示がなされたと判断した場合、前記インデックス入力工程で入力されたインデックス情報が関連付けられた新たなレコードを前記リスト中に作成するように制御する制御工程と、
の各工程をコンピュータに実行させるためのコンピュータ読取可能なプログラムを格納した記憶媒体。
【請求項２４】
画像情報とインデックス情報とをレコードに関連付け、複数のレコードを一覧表示したリストを用いて、画像を管理するように装置を制御するための、コンピュータ読取可能なプログラムを格納した記憶媒体であって、
前記リストを表示するように制御する表示制御工程と、
前記表示されたリストに前記画像情報を入力する画像入力工程と、
前記表示されたリストに前記インデックス情報を入力するインデックス入力工程と、
前記表示されたリストにおいて、前記インデックス情報を用いて所望の条件を満たすレコードを検索する検索工程とを、コンピュータに実行させ、
前記画像入力工程による画像情報の入力と前記インデックス入力工程によるインデックス情報の入力と前記検索工程による検索は、前記表示制御工程で表示されているリストにおいてユーザ所望の順序で実行できるようにするためのコンピュータ読取可能なプログラムを格納した記憶媒体。
【手続補正３】
【補正対象書類名】明細書
【補正対象項目名】０００１
【補正方法】変更
【補正の内容】
【０００１】
【発明の属する技術分野】
本発明は、管理装置、管理方法および記憶媒体に関する。
【手続補正４】
【補正対象書類名】明細書
【補正対象項目名】０００９
【補正方法】変更
【補正の内容】
【０００９】
１３２は文書データベース１３０から所望の画像を検索する検索部であり、検索条件入力部１３３により入力された検索条件にしたがって画像を検索する。１３４は検索した結果を管理する検索結果リスト管理部である。１３５は検索結果リストである。検索結果リスト管理部１３４は検索結果リスト１３５に基づき検索された文書について、画像表示制御部１４０を経由して画像表示部１４１に画像情報を送って画像を表示させたり、プリンタ制御部１４２を経由してプリンタ１４３に画像情報を送って画像を印刷させるといった指示を行うことかできる。
【手続補正５】
【補正対象書類名】明細書
【補正対象項目名】００１４
【補正方法】変更
【補正の内容】
【００１４】
そこで、本発明は、画像情報の入力とインデックス情報の入力の順番を任意とし、操作性を高めることができる管理装置、管理方法および記憶媒体を提供することを目的とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
【課題を解決するための手段】
上記目的を達成するために、本発明の請求項１に記載の管理装置は、画像情報とインデックス情報とをレコードに関連付け、複数のレコードを一覧表示したリストを用いて、画像を管理する管理装置であって、前記画像情報を入力する画像入力手段と、前記インデックス情報を入力するインデックス入力手段と、前記リストを表示するように制御する表示制御手段と、新たな画像情報に対するインデックス情報の入力の前に当該新たな画像情報を入力する第１の指示がなされたか、新たな画像情報の入力の前に当該新たな画像情報に対するインデックス情報を入力する第２の指示がなされたか、判断する判断手段と、前記判断手段で前記第１の指示がなされたと判断した場合、前記画像入力手段により入力された新たな画像情報が関連付けられた新たなレコードを前記リスト中に作成するように制御し、前記判断手段で前記第２の指示がなされたと判断した場合、前記インデックス入力手段により入力されたインデックス情報が関連付けられた新たなレコードを前記リスト中に作成するように制御する制御手段と、を有することを特徴とする。
【手続補正８】
【補正対象書類名】明細書
【補正対象項目名】００１７
【補正方法】変更
【補正の内容】
【００１７】
請求項２に記載の管理装置は、請求項１に係る管理装置において、更に、前記インデックス情報を用いて所望の条件を満たすレコードがないか前記リストを検索する検索手段を有し、前記表示制御手段は、前記検索手段で検索された前記所望の条件を満たすレコードで構成されるリストを表示するように制御することを特徴とする。
【手続補正９】
【補正対象書類名】明細書
【補正対象項目名】００１８
【補正方法】変更
【補正の内容】
【００１８】
請求項３に記載の管理装置は、請求項１に係る管理装置において、前記表示制御手段により表示制御されるリストは、前記画像情報と前記インデックス情報の両方が関連付けられた状態のレコードと、前記第１の指示により前記画像情報だけが関連付けられた状態のレコードと、前記第２の指示により前記インデックス情報だけが関連付けられた状態のレコードとが識別可能に一覧表示されることを特徴とする。
【手続補正１０】
【補正対象書類名】明細書
【補正対象項目名】００１９
【補正方法】変更
【補正の内容】
【００１９】
請求項４に記載の管理装置は、請求項１に係る管理装置において、前記リストにおいて所望のレコードを選択する選択手段を更に有し、前記判断手段は、前記選択手段により選択されたレコードに対して新たな画像情報を入力する第３の指示がなされたか判断し、前記制御手段は、前記判断手段で前記第３の指示がなされたと判断した場合、前記選択手段により選択されたレコードに対して前記画像入力手段により入力された新たな画像情報を関連付けるように制御することを特徴とする。
【手続補正１１】
【補正対象書類名】明細書
【補正対象項目名】００２０
【補正方法】変更
【補正の内容】
【００２０】
請求項５に記載の管理装置は、請求項１に係る管理装置において、前記リストにおいて所望のレコードを選択する選択手段を更に有し、前記判断手段は、前記選択手段により選択されたレコードに対してインデックス情報を入力する第４の指示がなされたか判断し、前記制御手段は、前記判断手段で前記第４の指示がなされたと判断した場合、前記選択手段により選択されたレコードに対して前記インデックス入力手段により入力されたインデックス情報を関連付けるように制御することを特徴とする。
【手続補正１２】
【補正対象書類名】明細書
【補正対象項目名】００２１
【補正方法】変更
【補正の内容】
【００２１】
請求項６に記載の管理装置は、請求項１に係る管理装置において、前記リストにおいて所望のレコードを選択する選択手段と、前記選択手段で選択されたレコードの画像情報に基づき画像を表示するように制御する画像表示手段と、を更に有することを特徴とする。
【手続補正１３】
【補正対象書類名】明細書
【補正対象項目名】００２２
【補正方法】変更
【補正の内容】
【００２２】
請求項７に記載の管理装置は、請求項６に係る管理装置において、前記選択されたレコードに前記画像情報が関連付けられていない場合、前記画像表示手段は、警告表示を行なうことを特徴とする。
【手続補正１４】
【補正対象書類名】明細書
【補正対象項目名】００２３
【補正方法】変更
【補正の内容】
【００２３】
請求項８に記載の管理装置は、請求項６に係る管理装置において、前記選択手段は、選択されたレコードに前記画像情報が関連付けられていない場合、次のレコードを選択するように制御することを特徴とする。
【手続補正１５】
【補正対象書類名】明細書
【補正対象項目名】００２４
【補正方法】変更
【補正の内容】
【００２４】
請求項９に記載の管理装置は、請求項１に係る管理装置において、文書を画像として読み込む読込手段を更に有し、前記画像入力手段で入力される画像情報は、前記読込手段で読み込まれた画像に関する情報であることを特徴とする。
【手続補正１６】
【補正対象書類名】明細書
【補正対象項目名】００２５
【補正方法】変更
【補正の内容】
【００２５】
請求項１０に記載の管理装置は、請求項１に係る管理装置において、前記レコードをデータベースに格納する格納手段を更に有することを特徴とする。
【手続補正１７】
【補正対象書類名】明細書
【補正対象項目名】００２６
【補正方法】変更
【補正の内容】
【００２６】
請求項１１に記載の管理装置は、画像情報とインデックス情報とをレコードに関連付け、複数のレコードを一覧表示したリストを用いて、画像を管理する管理装置であって、前記リストを表示するように制御する表示制御手段と、前記表示されたリストに前記画像情報を入力する画像入力手段と、前記表示されたリストに前記インデックス情報を入力するインデックス入力手段と、前記表示されたリストにおいて、前記インデックス情報を用いて所望の条件を満たすレコードを検索する検索手段とを有し、前記画像入力手段による画像情報の入力と前記インデックス入力手段によるインデックス情報の入力と前記検索手段による検索は、前記表示制御手段で表示されているリストにおいてユーザ所望の順序で実行可能であることを特徴とする。
【手続補正１８】
【補正対象書類名】明細書
【補正対象項目名】００２７
【補正方法】変更
【補正の内容】
【００２７】
請求項１２に記載の管理方法は、画像情報とインデックス情報とをレコードに関連付け、複数のレコードを一覧表示したリストを用いて、画像を管理する管理方法であって、前記画像情報を入力する画像入力工程と、前記インデックス情報を入力するインデックス入力工程と、前記リストを表示するように制御する表示制御工程と、新たな画像情報に対するインデックス情報の入力の前に当該新たな画像情報を入力する第１の指示がなされたか、新たな画像情報の入力の前に当該新たな画像情報に対するインデックス情報を入力する第２の指示がなされたか、判断する判断工程と、前記判断工程で前記第１の指示がなされたと判断した場合、前記画像入力工程で入力された新たな画像情報が関連付けられた新たなレコードを前記リスト中に作成するように制御し、前記判断工程で前記第２の指示がなされたと判断した場合、前記インデックス入力工程で入力されたインデックス情報が関連付けられた新たなレコードを前記リスト中に作成するように制御する制御工程と、を有することを特徴とする。
【手続補正１９】
【補正対象書類名】明細書
【補正対象項目名】００２８
【補正方法】変更
【補正の内容】
【００２８】
請求項１３に記載の管理方法は、請求項１２に係る管理方法において、更に、前記インデックス情報を用いて所望の条件を満たすレコードがないか前記リストを検索する検索工程を有し、前記表示制御工程では、前記検索工程で検索された前記所望の条件を満たすレコードで構成されるリストを表示するように制御することを特徴とする。
【手続補正２０】
【補正対象書類名】明細書
【補正対象項目名】００２９
【補正方法】変更
【補正の内容】
【００２９】
請求項１４に記載の管理方法は、請求項１２に係る管理方法において、前記表示制御工程で表示制御されるリストは、前記画像情報と前記インデックス情報の両方が関連付けられた状態のレコードと、前記第１の指示により前記画像情報だけが関連付けられた状態のレコードと、前記第２の指示により前記インデックス情報だけが関連付けられた状態のレコードとが識別可能に一覧表示されることを特徴とする。
【手続補正２１】
【補正対象書類名】明細書
【補正対象項目名】００３０
【補正方法】変更
【補正の内容】
【００３０】
請求項１５に記載の管理方法は、請求項１２に係る管理方法において、前記リストにおいて所望のレコードを選択する選択工程を更に有し、前記判断工程では、前記選択工程で選択されたレコードに対して新たな画像情報を入力する第３の指示がなされたか判断し、前記制御工程では、前記判断工程で前記第３の指示がなされたと判断した場合、前記選択工程で選択されたレコードに対して前記画像入力工程で入力された新たな画像情報を関連付けるように制御することを特徴とする。
【手続補正２２】
【補正対象書類名】明細書
【補正対象項目名】００３１
【補正方法】変更
【補正の内容】
【００３１】
請求項１６に記載の管理方法は、請求項１２に係る管理方法において、前記リストにおいて所望のレコードを選択する選択工程を更に有し、前記判断工程では、前記選択工程で選択されたレコードに対してインデックス情報を入力する第４の指示がなされたか判断し、前記制御工程では、前記判断工程で前記第４の指示がなされたと判断した場合、前記選択工程で選択されたレコードに対して前記インデックス入力工程で入力されたインデックス情報を関連付けるように制御することを特徴とする。
【手続補正２３】
【補正対象書類名】明細書
【補正対象項目名】００３２
【補正方法】変更
【補正の内容】
【００３２】
請求項１７に記載の管理方法は、請求項１２に係る管理方法において、前記リストにおいて所望のレコードを選択する選択工程と、前記選択工程で選択されたレコードの画像情報に基づき画像を表示するように制御する画像表示工程と、を更に有することを特徴とする。
【手続補正２４】
【補正対象書類名】明細書
【補正対象項目名】００３３
【補正方法】変更
【補正の内容】
【００３３】
請求項１８に記載の管理方法は、請求項１７に係る管理方法において、前記選択されたレコードに前記画像情報が関連付けられていない場合、前記画像表示工程では、警告表示を行なうことを特徴とする。
【手続補正２５】
【補正対象書類名】明細書
【補正対象項目名】００３４
【補正方法】変更
【補正の内容】
【００３４】
請求項１９に記載の管理方法は、請求項１７に係る管理方法において、前記選択工程では、選択されたレコードに前記画像情報が関連付けられていない場合、次のレコードを選択するように制御することを特徴とする。
【手続補正２６】
【補正対象書類名】明細書
【補正対象項目名】００３５
【補正方法】変更
【補正の内容】
【００３５】
請求項２０に記載の管理方法は、請求項１２に係る管理方法において、文書を画像として読み込む読込工程を更に有し、前記画像入力工程で入力される画像情報は、前記読込工程で読み込まれた画像に関する情報であることを特徴とする。
【手続補正２７】
【補正対象書類名】明細書
【補正対象項目名】００３６
【補正方法】変更
【補正の内容】
【００３６】
請求項２１に記載の管理方法は、前記レコードをデータベースに格納する格納工程を更に有することを特徴とする。
請求項２２に記載の管理方法は、画像情報とインデックス情報とをレコードに関連付け、複数のレコードを一覧表示したリストを用いて、画像を管理する管理方法であって、前記リストを表示するように制御する表示制御工程と、前記表示されたリストに前記画像情報を入力する画像入力工程と、前記表示されたリストに前記インデックス情報を入力するインデックス入力工程と、前記表示されたリストにおいて、前記インデックス情報を用いて所望の条件を満たすレコードを検索する検索工程とを有し、前記画像入力工程による画像情報の入力と前記インデックス入力工程によるインデックス情報の入力と前記検索工程による検索は、前記表示制御工程で表示されているリストにおいてユーザ所望の順序で実行可能であることを特徴とする。
請求項２３に記載の記憶媒体は、画像情報とインデックス情報とをレコードに関連付け、複数のレコードを一覧表示したリストを用いて、画像を管理するように装置を制御するための、コンピュータ読取可能なプログラムを格納した記憶媒体であって、前記画像情報を入力する画像入力工程と、前記インデックス情報を入力するインデックス入力工程と、前記リストを表示するように制御する表示制御工程と、新たな画像情報に対するインデックス情報の入力の前に当該新たな画像情報を入力する第１の指示がなされたか、新たな画像情報の入力の前に当該新たな画像情報に対するインデックス情報を入力する第２の指示がなされたか、判断する判断工程と、前記判断工程で前記第１の指示がなされたと判断した場合、前記画像入力工程で入力された新たな画像情報が関連付けられた新たなレコードを前記リスト中に作成するように制御し、前記判断工程で前記第２の指示がなされたと判断した場合、前記インデックス入力工程で入力されたインデックス情報が関連付けられた新たなレコードを前記リスト中に作成するように制御する制御工程と、の各工程をコンピュータに実行させるためのコンピュータ読取可能なプログラムを格納した。
請求項２４に記載の記憶媒体は、画像情報とインデックス情報とをレコードに関連付け、複数のレコードを一覧表示したリストを用いて、画像を管理するように装置を制御するための、コンピュータ読取可能なプログラムを格納した記憶媒体であって、前記リストを表示するように制御する表示制御工程と、前記表示されたリストに前記画像情報を入力する画像入力工程と、前記表示されたリストに前記インデックス情報を入力するインデックス入力工程と、前記表示されたリストにおいて、前記インデックス情報を用いて所望の条件を満たすレコードを検索する検索工程とを、コンピュータに実行させ、前記画像入力工程による画像情報の入力と前記インデックス入力工程によるインデックス情報の入力と前記検索工程による検索は、前記表示制御工程で表示されているリストにおいてユーザ所望の順序で実行できるようにするためのコンピュータ読取可能なプログラムを格納した。
【手続補正２８】
【補正対象書類名】明細書
【補正対象項目名】００３７
【補正方法】変更
【補正の内容】
【００３７】
【発明の実施の形態】
本発明の管理装置、管理方法および記憶媒体の実施の形態について説明する。本実施形態の管理装置は文書管理装置に適用される。
【手続補正２９】
【補正対象書類名】明細書
【補正対象項目名】００８８
【補正方法】変更
【補正の内容】
【００８８】
２３はインデックスデータ記録部２２内のデータを、整合性を維持しつつ管理するインデックスデータ記録管理部、２４は所望の文書を検索するための検索条件を入力する検索条件入力部、２５はデータベースから所望の文書を検索する検索部である。検索条件入力部２４はキーボードおよび検索条件入力画面から構成される。
【手続補正３０】
【補正対象書類名】明細書
【補正対象項目名】０１４７
【補正方法】変更
【補正の内容】
【０１４７】
【発明の効果】
本発明によれば、画像情報の入力とインデックス情報の入力の順番を任意とし、操作性を高めることができる。
【手続補正３１】
【補正対象書類名】明細書
【補正対象項目名】０１４８
【補正方法】削除
【補正の内容】
【手続補正３２】
【補正対象書類名】明細書
【補正対象項目名】０１４９
【補正方法】削除
【補正の内容】
【手続補正３３】
【補正対象書類名】明細書
【補正対象項目名】０１５０
【補正方法】削除
【補正の内容】
【手続補正３４】
【補正対象書類名】明細書
【補正対象項目名】０１５１
【補正方法】削除
【補正の内容】
【手続補正３５】
【補正対象書類名】明細書
【補正対象項目名】０１５２
【補正方法】削除
【補正の内容】
【手続補正３６】
【補正対象書類名】明細書
【補正対象項目名】０１５３
【補正方法】削除
【補正の内容】
【手続補正３７】
【補正対象書類名】明細書
【補正対象項目名】０１５４
【補正方法】削除
【補正の内容】
【手続補正３８】
【補正対象書類名】明細書
【補正対象項目名】０１５５
【補正方法】削除
【補正の内容】
【手続補正３９】
【補正対象書類名】明細書
【補正対象項目名】０１５６
【補正方法】削除
【補正の内容】
【手続補正４０】
【補正対象書類名】明細書
【補正対象項目名】０１５７
【補正方法】削除
【補正の内容】